(57)【特許請求の範囲】
【請求項１】
表面に光反射層（１１）を有する印刷基材（１０）又は裏面に光反射層（１１）を有する透明な印刷基材（１０）と、
色彩が異なる複数の平行な有色画線（１２Ｃ）（１２Ｍ）（１２Ｙ）から成る１組（Ｕ）ずつを規則正しく離隔的に繰り返し並列する万線として、上記印刷基材（１０）の表面へ紫外線硬化型の有色インクによりインクジェット印刷された可飾線画像層（Ｂ）と、
上記有色画線（１２Ｃ）（１２Ｍ）（１２Ｙ）から成る１組（Ｕ）ずつのうちの少なくとも任意な１本ずつを表側から被覆すべく、その有色画線（１２Ｃ）（１２Ｍ）（１２Ｙ）よりも太い万線として、紫外線硬化型の透明ニスによりカマボコ状にインクジェット印刷されたシリンドリカルレンズ（１４）とを備え、
上記可飾線画像層（Ｂ）における有色画線（１２Ｃ）（１２Ｍ）（１２Ｙ）同士の隣り合う相互間が無印刷の空白部（１３）として、その空白部（１３）から上記印刷基材（１０）の表面が露出している疑似ホログラム印刷物（Ａ）であって、
上記可飾線画像層（Ｂ）をその万線の線形状が異なる組み合わせの有色画線（１２Ｃ）（１２Ｍ）（１２Ｙ）や、その万線の配列角度・幅・長さ又は／及び隣り合う間隔ピッチが異なる組み合わせの有色画線（１２Ｃ）（１２Ｍ）（１２Ｙ）によって、全体の幾何学的な模様に描画すると共に、
上記シリンドリカルレンズ（１４）の線幅（Ｗ２）を可飾線画像層（Ｂ）における有色画線（１２Ｃ）（１２Ｍ）（１２Ｙ）の線幅（Ｗ１）の１．５〜４．０倍とし、しかもシリンドリカルレンズ（１４）同士の隣り合う間隔ピッチ（Ｐ３）をその線幅（Ｗ２）の３〜４倍又は２〜３列おきとして、そのシリンドリカルレンズ（１４）を上記可飾線画像層（Ｂ）における任意な１本の有色画線（１２Ｍ）と同じ中心線（Ｏ−Ｏ）上での位置合わせ状態に重ね刷りしたことを特徴とする疑似ホログラム印刷物。
【請求項２】
可飾線画像層（Ｂ）における有色画線（１２Ｃ）（１２Ｍ）（１２Ｙ）同士の隣り合う相互間をなす空白部（１３）に、混合比率が異なる少なくとも２色の混合色を有色背景帯域（１５）としてインクジェット印刷したことを特徴とする請求項１記載の疑似ホログラム印刷物。
【請求項３】
可飾線画像層（Ｂ）における有色画線（１２Ｃ）（１２Ｍ）（１２Ｙ）の線幅（Ｗ１）と１組（Ｕ）内における有色画線（１２Ｃ）（１２Ｍ）（１２Ｙ）同士の隣り合う間隔ピッチ（Ｐ２）とその１組（Ｕ）ずつの隣り合う間隔ピッチ（Ｐ１）とをすべて同等の寸法として、
その複数の有色画線（１２Ｃ）（１２Ｍ）（１２Ｙ）から成る１組（Ｕ）ずつを規則正しく離隔的に繰り返し並列設置したことを特徴とする請求項１記載の疑似ホログラム印刷物。
【請求項４】
可飾線画像層（Ｂ）における有色画線（１２Ｃ）（１２Ｍ）（１２Ｙ）の線幅（Ｗ１）を同じ寸法とし、１組（Ｕ）内における有色画線（１２Ｃ）（１２Ｍ）（１２Ｙ）同士の隣り合う間隔ピッチ（Ｐ２）を広く又は狭く相違変化させると共に、その１組（Ｕ）ずつの隣り合う間隔ピッチ（Ｐ１）は同じ寸法として、
その複数の有色画線（１２Ｃ）（１２Ｍ）（１２Ｙ）から成る１組（Ｕ）ずつを規則正しく離隔的に繰り返し並列設置したことを特徴とする請求項１記載の疑似ホログラム印刷物。
【請求項５】
可飾線画像層（Ｂ）における有色画線（１２Ｃ）（１２Ｍ）（１２Ｙ）の線幅（Ｗ１）を大きく又は小さく相違変化させ、１組（Ｕ）内における有色画線（１２Ｃ）（１２Ｍ）（１２Ｙ）同士の隣り合う間隔ピッチ（Ｐ２）を同じ寸法とすると共に、その１組（Ｕ）ずつの隣り合う間隔ピッチ（Ｐ１）も同じ寸法として、
その複数の有色画線（１２Ｃ）（１２Ｍ）（１２Ｙ）から成る１組（Ｕ）ずつを規則正しく離隔的に繰り返し並列設置したことを特徴とする請求項１記載の疑似ホログラム印刷物。
【発明の詳細な説明】
【技術分野】
【０００１】
本発明は見る角度を変えると、画像の色彩が変化することにより、セキュリティー性能を与えることもできる商品のラベルやパッケージ、装飾シール、カレンダー、名刺、その他の疑似ホログラム印刷物に関する。
【背景技術】
【０００２】
見る角度によって画像の色彩が変化する印刷物やその製造法、製造装置については、特許文献１、２に開示されている。
【０００３】
その特許文献１のＦｉｇ．２Ａに記載された印刷物は、片面に反射材料を有する基板（２８）の上面（３０）に、異なる２色（Ｒ）（Ｂ）の画像（３８）とその画像（３８）を被覆する透明な凸レンズ（３４）とが直接印刷されており、その凸レンズ（３４）同士の隣り合う相互間が平坦部（４６）として、一定間隔を保つ関係に図示されている点で、本発明に近似すると考えられる。
【０００４】
他方、特許文献２には金属膜などが蒸着されたプラスチックフィルムなどから成る記録部材（２）上に、異なる色彩の画像（２６Ａ）と画像（２６Ｂ）を形成する手段と、その両画像（２６Ａ）（２６Ｂ）を被覆するレンチキュラーレンズ（２２）の形成手段とを備えた画像形成装置が記載されており、その画像（２６Ａ）（２６Ｂ）とレンチキュラーレンズ（２２）を何れもインクジェット印刷している点で、本発明に近似すると考えられる。
【先行技術文献】
【特許文献】
【０００５】
【特許文献１】米国特許第６８５６４６２号明細書
【特許文献２】特許第３５５５４２０号公報
【発明の概要】
【発明が解決しようとする課題】
【０００６】
ところが、特許文献１にはレンズアレイ（４４）の凸レンズ（３４）が透明な熱可塑性又は熱硬化性のプラスチック材から成ることや、これを基板（２８）の表面に対する印刷のほか、成形、押し出し又はエンボス加工しても良い旨が記載されており、また画像（３８）はシルクスクリーンやリソグラフィ、フレキソ、その他の印刷技術により印刷される旨の記載もある。
【０００７】
つまり、特許文献１に記載された印刷物の画像（３８）やレンズアレイ（４４）の凸レンズ（３４）は、その印刷用の版や金型を必要とするものであり、これらを使用して形成するため、その画像（３８）や凸レンズ（３４）につき、言わば設計した通りの太さ（幅や高さ）・表面形状として、別個独立した分離状態に配列設置することができ、その画像（３８）の隣り合う同士や凸レンズ（３４）の隣り合う同士があたかも山脈のように連結するおそれはない反面、同種の画像を大量生産的に形成する場合であればともかく、多種・多様な画像を少量生産的に形成する場合、その画像毎に金型や印刷用の版を作成準備しなければならないので、その作成費用が著しく高価となり、特にセキュリティー性能を発揮させたい特異な疑似ホログラム印刷物の形成には不向きである。
【０００８】
他方、特許文献２に記載の画像形成装置はインクジェットプリンターを用いて、その有色インク（６１）の液滴や透明インク（７１）の液滴を記録部材（２）へ着弾させるようになっているため、特許文献１の上記金型や印刷用の版を必要とせず、その有色インク（６１）による画像（２６Ａ）（２６Ｂ）の形成と透明インク（７１）によるレンチキュラーレンズ（２２）の形成を行える利点があると言えるが、インクジェット印刷方式のインクは硬化するまで液状であり、特に有色インク（６１）の異なる画像（２６Ａ）（２６Ｂ）を被覆するレンチキュラーレンズ（２２）の透明インク（７１）は、その有色インク（６１）よりも太い線幅（体積／液量）を有するため、そのシリンドリカルレンズ（５１）同士の隣り合う相互間隔を画像（２６Ａ）（２６Ｂ）同士のそれよりも広く確保せず、記録部材（２）の搬送上先行する透明インク（７１）の液滴が着弾してから硬化するまでの間に、後行する透明インク（７１）の液滴が着弾すると、そのシリンドリカルレンズ（５１）同士が濡れ広がり連結して、頂面（凸曲面）の低く沈下すると共に変形する結果、所期する焦点距離でのレンズ作用を発揮せず、設計どおりの高精細な色彩変化を得られないのである。
【０００９】
この点、特許文献２に記載の画像形成装置はあくまでも画像とレンチキュラーレンズとの高精度な位置合わせを行うものであり、図２〜５の記載からも明白なように、そのレンチキュラーレンズ（２２）をなすシリンドリカルレンズ（５１）の隣り合う同士は接触しているため、上記問題の解決に役立たず、その解決を企図してもいない。
【００１０】
その場合、隣り合うシリンドリカルレンズ（５１）同士の接触する部分が、仮に実質上レンズとして利用されない領域であるとしても、その液滴の連結により、レンズとして利用されるべき頂面が上記したように低く下がり形崩れして、平面に近づく欠陥があることに変わりはない。
【課題を解決するための手段】
【００１１】
本発明は上記課題の相克を目的としており、その目的を達成するために、請求項１では表面に光反射層を有する印刷基材又は裏面に光反射層を有する透明な印刷基材と、
【００１２】
色彩が異なる複数の平行な有色画線から成る１組ずつを規則正しく離隔的に繰り返し並列する万線として、上記印刷基材の表面へ紫外線硬化型の有色インクによりインクジェット印刷された可飾線画像層と、
【００１３】
上記有色画線から成る１組ずつのうちの少なくとも任意な１本ずつを表側から被覆すべく、その有色画線よりも太い万線として、紫外線硬化型の透明ニスによりカマボコ状にインクジェット印刷されたシリンドリカルレンズとを備え、
【００１４】
上記可飾線画像層における有色画線同士の隣り合う相互間が無印刷の空白部として、その空白部から上記印刷基材の表面が露出している疑似ホログラム印刷物であって、
【００１５】
上記可飾線画像層をその万線の線形状が異なる組み合わせの有色画線や、その万線の配列角度・幅・長さ又は／及び隣り合う間隔ピッチが異なる組み合わせの有色画線によって、全体の幾何学的な模様に描画すると共に、
【００１６】
上記シリンドリカルレンズの線幅を可飾線画像層における有色画線の線幅の１．５〜４．０倍とし、しかもシリンドリカルレンズ同士の隣り合う間隔ピッチをその線幅の３〜４倍又は２〜３列おきとして、そのシリンドリカルレンズを上記可飾線画像層における任意な１本の有色画線と同じ中心線上での位置合わせ状態に重ね刷りしたことを特徴とする。
【００１７】
また、請求項２では可飾線画像層における有色画線同士の隣り合う相互間をなす空白部に、混合比率が異なる少なくとも２色の混合色を有色背景帯域としてインクジェット印刷したことを特徴とする。
【００１８】
請求項３では可飾線画像層における有色画線の線幅と１組内における有色画線同士の隣り合う間隔ピッチとその１組ずつの隣り合う間隔ピッチとをすべて同等の寸法として、
【００１９】
その複数の有色画線から成る１組ずつを規則正しく離隔的に繰り返し並列設置したことを特徴とする。
【００２０】
請求項４では可飾線画像層における有色画線の線幅を同じ寸法とし、１組内における有色画線同士の隣り合う間隔ピッチを広く又は狭く相違変化させると共に、その１組ずつの隣り合う間隔ピッチは同じ寸法として、
【００２１】
その複数の有色画線から成る１組ずつを規則正しく離隔的に繰り返し並列設置したことを特徴とする。
【００２２】
更に、請求項５では可飾線画像層における有色画線の線幅を大きく又は小さく相違変化させ、１組内における有色画線同士の隣り合う間隔ピッチを同じ寸法とすると共に、その１組ずつの隣り合う間隔ピッチも同じ寸法として、
【００２３】
その複数の有色画線から成る１組ずつを規則正しく離隔的に繰り返し並列設置したことを特徴とする。
【発明の効果】
【００２４】
請求項１の構成によれば、冒頭に述べた従来技術の課題を相克することができ、上記シリンドリカルレンズ同士の隣り合う間隔ピッチがそのレンズ自身の線幅の３〜４倍（２〜３列おき）として、相互の分離状態を確保した安定なカマボコ形のシリンドリカルレンズにより、疑似ホログラム印刷物としての高精細な色彩変化を得られる効果がある。
【００２５】
しかも、上記疑似ホログラム印刷物はその印刷用の版や金型を必要とせず、色彩が異なる複数の有色インクと透明ニスにより、インクジェット印刷されるようになっているため、独創性や興趣変化などに富む全体の幾何学的な模様の可飾線画像層が描画された疑似ホログラム印刷物を、少量生産的に作成することができ、セキュリティ性能の付与に役立つ。
【００２６】
この点、従来のレンチキュラーレンズシート（シリンドリカルレンズシート）ではその並列するレンズの隣り合う同士が間隙なく連続するため、却って個性的・独創的な画像の色彩変化を得られ難く、画一的な同種の疑似ホログラム印刷物を大量に作成する場合であればともかく、多種・多様な画像を備えた疑似ホログラム印刷物の少量生産には不向きである。
【００２７】
また、上記分離状態にある別個独立のシリンドリカルレンズと、これによって表側から被覆された少なくとも任意な１本の有色画線とが、同一中心線上での位置合わせ状態に重ね刷りされるため、高精細な色彩変化の疑似ホログラム印刷物を得るべく、その有色インクと透明ニスによる印刷上の制御を容易・正確に行える効果がある。
【００２８】
更に、シリンドリカルレンズの線幅が可飾線画像層における有色画線の線幅の１．５〜４．０倍に設定されているため、その可飾線画像層における有色画線の任意な１本（１列）ずつを、表側からシリンドリカルレンズによって確実に安定良く被覆することができ、しかもその有色画線とシリンドリカルレンズとの高精度な位置合わせを容易に得られる効果もある。
【００２９】
その場合、請求項２の構成を採用するならば、その混合比率が異なる少なくとも２色の混合色を、例えばイエローインク：９０％とマゼンタインク：５％とのそれとして、これから印刷した有色背景帯域を、可飾線画像層における有色画線同士の隣り合う相互間へ介在させることにより、その可飾線画像層の全体に豪華なゴールド色の印象を付与することができる。
【００３０】
特に、請求項３の構成を採用するならば、上記有色画線とシリンドリカルレンズとの高精度な位置合わせを容易に得られるほか、その位置合わせに基づき複数の有色画線から成る可飾線画像層と、これが描画された疑似ホログラム印刷物の印刷上、その制御も高精度に行える効果がある。
【図面の簡単な説明】
【００３１】
【図１】本発明の第１実施形態を示す正面図である。
【図２】図１の一部を抽出して示す模式的な拡大斜面図である。
【図３】図２の３−３線に沿う拡大断面図である。
【図４】可飾線画像層における曲線の有色画線を示す正面図である。
【図５】可飾線画像層における波線の有色画線を示す正面図である。
【図６】可飾線画像層における各種区画線と折れ線の有色画線を示す正面図である。
【図７】上記第１実施形態の第１部分変形実施形態を示す図３に対応する断面図である。
【図８】上記第１実施形態の第２部分変形実施形態を示す図３に対応する断面図である。
【図９】上記第１実施形態の第３部分変形実施形態を示す図３に対応する断面図である。
【図１０】本発明の第２実施形態を示す図２に対応する模式的な斜面図である。
【図１１】図１０の１１−１１線に沿う拡大断面図である。
【図１２】本発明の第３実施形態を示す図１に対応する正面図である。
【図１３】図１２の１３−１３線に沿う拡大断面図である。
【図１４】インクジェットプリンターの概略構成を示す平面図である。
【発明を実施するための形態】
【００３２】
以下、図面に基づいて本発明の各種実施形態を詳述する。先ず、図１〜３はその本発明に係る疑似ホログラム印刷物（Ａ）の第１実施形態を示しており、図１は正面図、図２は図１の一部を抽出して示す模式的な拡大斜面図、図３は図２の３−３線に沿う拡大断面図である。
【００３３】
本発明の疑似ホログラム印刷物（Ａ）は印刷基材（記録媒体）（１０）における表面の全体又は一部へ、紫外線硬化型の有色インクによりインクジェット印刷された可飾線画像層（万線パターン層）（Ｂ）を具備している。その印刷基材（１０）は不透明な紙やプラスチックフィルム、その他の可撓性を有するシート材から成り、その表面に光の反射層（１１）となるアルミホイルが貼り付け一体化されている。
【００３４】
但し、そのアルミホイルの貼り付けに代わるアルミ蒸着膜を表面に備えた印刷基材（１０）や、図９のような光の反射層（１１）となるアルミニウムや銀などが裏面に真空蒸着された透明プラスチックフィルム（蒸着フィルム）を、本発明の印刷基材（１０）として採用しても良い。何れにしても、その印刷基材（１０）の裏面には剥離可能な離型シート（図示省略）が貼り付けられることもある。
【００３５】
上記可飾線画像層（Ｂ）は図２、３の部分拡大図に示唆する如く、色彩が異なる複数の平行な有色画線（１２Ｃ）（１２Ｍ）（１２Ｙ）から成る１組（１単位）（Ｕ）ずつが、規則正しく離隔的に（整然と所定間隔おきに）繰り返し並列する万線から形成されている。
【００３６】
この点、図１〜３の第１実施形態ではシアンの画線（１２Ｃ）とマゼンタの画線（１２Ｍ）とイエローの画線（１２Ｙ）との三原色から成る有色画線の合計３本（３列）を、色彩が異なる複数の平行な１組（１単位）（Ｕ）として、その１組（１単位）（Ｕ）ずつを所定間隔ピッチ（Ｐ１）での繰り返し並列設置することにより、上記有色画線（１２Ｃ）（１２Ｍ）（１２Ｙ）の万線（群数）から可飾線画像層（Ｂ）を形成している。
【００３７】
しかも、その際１組（１単位）（Ｕ）をなす有色画線（１２Ｃ）（１２Ｍ）（１２Ｙ）の線幅（太さ）（Ｗ１）は、その複数（上記３本／３列）のすべて同じ寸法に設定されていると共に、その１組（１単位）（Ｕ）内における有色画線（１２Ｃ）（１２Ｍ）（１２Ｙ）同士の隣り合う間隔ピッチ（Ｐ２）もすべて同じ寸法に設定されている。更に言えば、図２、３から明白なように、各有色画線（１２Ｃ）（１２Ｍ）（１２Ｙ）の線幅（太さ）（Ｗ１）とその１組（１単位）（Ｕ）内における有色画線（１２Ｃ）（１２Ｍ）（１２Ｙ）同士の隣り合う間隔ピッチ（Ｐ２）と１組（１単位）（Ｕ）同士の隣り合う間隔ピッチ（Ｐ１）とが悉く同等の寸法として、例えば０．０４ｍｍに設定されている。
【００３８】
つまり、上記第１実施形態の場合可飾線画像層（Ｂ）を形成する万線である有色画線（１２Ｃ）（１２Ｍ）（１２Ｙ）同士の隣り合う相互間は、その１組（１単位）（Ｕ）の内外を問わず、すべて同じ寸法（先に例示した０．０４ｍｍ）の印刷されていない空白部（１３）をなしており、その空白部（１３）から上記印刷基材（１０）の反射層（１１）が露出している。尚、反射層（１１）が図９のような裏面に蒸着された印刷基材（１０）であっても、その印刷基材（１０）は透過性を有するため、表面から光が反射されることに変わりはない。
【００３９】
また、同じく第１実施形態の場合、可飾線画像層（Ｂ）における万線としての有色画線（１２Ｃ）（１２Ｍ）（１２Ｙ）を、すべて両端がある所要長さの直線（ａ）として、その長さと配列角度（方向性）が異なる万線の組み合わせにより、図１のような全体の幾何学的な模様の可飾線画像層（Ｂ）を表示している。
【００４０】
但し、その可飾線画像層（Ｂ）を形成する万線としての有色画線（１２Ｃ）（１２Ｍ）（１２Ｙ）は、その両端のある所要長さの直線（ａ）のみならず、図４、５に例示するような両端がある所要長さの曲線（ｂ）や波線（ｃ）、図６（イ）に例示するような両端がある所要長さの折れ線（ｄ）や破線、図６（ロ）（ハ）（ニ）に例示するような無端の連続する円形や楕円形、多角形、十文字形などの区画線（ｅ）であっても良い。このような線形状が異なる各種万線の組み合わせや、その万線の配列角度（方向性）、幅（太さ）、長さ又は／及び隣り合う間隔ピッチなどの異なる組み合わせによって、独創性や興趣変化などに富む幾何学的な模様の可飾線画像層（Ｂ）を描画することができる。
【００４１】
更に、（１４）は上記可飾線画像層（Ｂ）における１組（１単位）（Ｕ）ずつをなす色彩が異なる複数の有色画線（１２Ｃ）（１２Ｍ）（１２Ｙ）のうち、その少なくとも任意な１本（１列）ずつを表側から被覆する透明なシリンドリカルレンズであり、各有色画線（１２Ｃ）（１２Ｍ）（１２Ｙ）の線幅（太さ）（Ｗ１）よりも太い線幅（Ｗ２）の万線として、上記印刷基材（１０）へ紫外線硬化型の透明ニス（透明インク）によりカマボコ状にインクジェット印刷されている。
【００４２】
その場合、各シリンドリカルレンズ（１４）の線幅（太さ）（Ｗ２）は上記有色画線（１２Ｃ）（１２Ｍ）（１２Ｙ）の線幅（太さ）（Ｗ１）の約１．５〜４．０倍、好ましくは図２、３に示すような２倍の寸法として、例えば０．０８ｍｍに設定する。その各シリンドリカルレンズ（１４）の背丈（盛り付け高さ）（Ｈ）は、上記可飾線画像層（Ｂ）を透視する時の焦点距離となるが、図例では有色画線（１２Ｃ）（１２Ｍ）（１２Ｙ）のそれの約１．５倍（０．０３〜０．０４ｍｍ）に設定されている。
【００４３】
そして、上記シリンドリカルレンズ（１４）の隣り合う同士をその線幅（太さ）（Ｗ２）の３〜４倍（２〜３列おき）（例えば０．２４〜０．３２ｍｍ）として、好ましくは図２、３に示すような３倍（２列おき）の間隔ピッチ（Ｐ３）として、例えば０．２４ｍｍの寸法に設定するのである。
【００４４】
インクジェット印刷方式のインクは硬化するまで液状であるところ、発明者が上記第１実施形態を実験した後述の知見によれば、その可飾線画像層（Ｂ）における有色画線（１２Ｃ）（１２Ｍ）（１２Ｙ）の線幅（太さ）（Ｗ１）は細いため、その１組（１単位）（Ｕ）内における隣り合う同士の間隔ピッチ（Ｐ２）や１組（１単位）（Ｕ）ずつの隣り合う間隔ピッチ（Ｐ１）が、上記寸法（０．０４ｍｍ）として比較的狭小であっても、その有色画線（１２Ｃ）（１２Ｍ）（１２Ｙ）同士の濡れ広がり連結してしまうおそれはないが、上記有色画線（１２Ｃ）（１２Ｍ）（１２Ｙ）を被覆するシリンドリカルレンズ（１４）の線幅（太さ）（Ｗ２）は相当太いため、そのシリンドリカルレンズ（１４）同士の隣り合う間隔ピッチ（Ｐ３）が線幅（太さ）（Ｗ２）の３倍（２列おき）よりも狭小な寸法であると、互いに濡れ広がり連結して、その頂面（凸曲面）の低く沈下し形崩れする結果、所期する焦点距離でのレンズ作用を発揮し難くなる。
【００４５】
他方、同じく隣り合う間隔ピッチ（Ｐ３）がそのシリンドリカルレンズ（１４）自身の線幅（太さ）（Ｗ２）の４倍（３列おき）よりも広大な寸法であると、上記可飾線画像層（Ｂ）の全体に占めるシリンドリカルレンズ（１４）の本数（配列数）が、有色画線（１２Ｃ）（１２Ｍ）（１２Ｙ）のそれに比して過少となり、設計どおりの高精細な色彩変化を得られない。
【００４６】
しかも、シリンドリカルレンズ（１４）はその線幅（太さ）（Ｗ２）の３〜４倍（２〜３列おき）に相当する寸法の上記間隔ピッチ（Ｐ３）を保ちつつも、図２、３に示す如く、上記可飾線画像層（Ｂ）における１組（１単位）（Ｕ）ずつの有色画線（１２Ｃ）（１２Ｍ）（１２Ｙ）のうち、その少なくとも任意な１本（１列）の有色画線（１２Ｍ）上へ言わば位置合わせする同芯状態に重ね刷りされている。そのため、設計どおりの高精細な色彩変化を得るべき、印刷インクの吐出タイミングなどを正確に制御することができる。
【００４７】
この点、上記第１実施形態では色彩が異なる有色画線（１２Ｃ）（１２Ｍ）（１２Ｙ）の３本（３列）のうち、そのマゼンタの画線（１２Ｍ）上にのみ透明なシリンドリカルレンズ（１４）が規則的に繰り返し並列する位置合わせ状態としてインクジェット印刷されている。（Ｏ−Ｏ）はその１本（１列）の有色画線（マゼンタ）（１２Ｍ）とシリンドリカルレンズ（１４）との対応合致した中心線を示している。
【００４８】
先の図１〜３に示した第１実施形態では、色彩が異なる有色画線（１２Ｃ）（１２Ｍ）（１２Ｙ）の３本（３列）を１組（１単位）（Ｕ）とし、その線幅（太さ）（Ｗ１）と１組（１単位）（Ｕ）内における有色画線（１２Ｃ）（１２Ｍ）（１２Ｙ）同士の隣り合う間隔ピッチ（Ｐ２）並びに１組（１単位）（Ｕ）同士の隣り合う間隔ピッチ（Ｐ１）を悉く同等の寸法（先に例示した０．０４ｍｍ）として、規則正しく繰り返し並列設置しているが、図３と対応する図７の第１部分変形実施形態に示す如く、例えばシアンの画線（１２Ｃ）とマゼンタの画線（１２Ｍ）との合計２本（２列）を、色彩が異なる有色画線（１２Ｃ）（１２Ｍ）の１組（１単位）（Ｕ）として、図３とすべて同じ寸法（上記した０．０４ｍｍ）での規則正しく離隔的に繰り返し並列設置しても良い。この場合、マゼンタの画線（１２Ｍ）とシアンの画線（１２Ｃ）とがシリンドリカルレンズ（１４）によって、交互に被覆されることになる。
【００４９】
また、図８の第２部分変形実施形態に示す如く、１組（１単位）（Ｕ）をなす複数（例えば３本／３列）の有色画線（１２Ｃ）（１２Ｍ）（１２Ｙ）の線幅（太さ）（Ｗ１）は同じ寸法（先に例示した０．０４ｍｍ）としつつも、その１組（１単位）（Ｕ）内における有色画線（１２Ｃ）（１２Ｍ）（１２Ｙ）同士の隣り合う間隔ピッチ（Ｐ２）を広狭変化させたり、逆に図９の第３部分変形実施形態に示す如く、その１組（１単位）（Ｕ）をなす有色画線（１２Ｃ）（１２Ｍ）（１２Ｙ）同士の隣り合う間隔ピッチ（Ｐ２）は同じ寸法（例えば０．０２ｍｍ）としつつも、その有色画線（１２Ｃ）（１２Ｍ）（１２Ｙ）の線幅（太さ）（Ｗ１）を例えば大中小として相違変化させたりしてもさしつかえない。
【００５０】
上記１組（１単位）（Ｕ）における有色画線（１２Ｃ）（１２Ｍ）（１２Ｙ）の線幅（太さ）（Ｗ１）やその有色画線（１２Ｃ）（１２Ｍ）（１２Ｙ）同士の隣り合う間隔ピッチ（Ｐ２）がたとえ異なっていても、その１組（１単位）（Ｕ）ずつがすべて同一の配列状態として、規則正しく離隔的に繰り返し並列する万線から構成されておれば足りる。
【００５１】
尚、図８、９の上記部分変形実施形態では１組（１単位）（Ｕ）同士の隣り合う間隔ピッチ（Ｐ１）が例えば０．０７〜０.０８ｍｍの寸法として、その１組（１単位）（Ｕ）内における有色画線（１２Ｃ）（１２Ｍ）（１２Ｙ）同士の隣り合う間隔ピッチ（Ｐ２）よりも広大に設定されており、その同じ広大な寸法の間隔ピッチ（Ｐ１）おきに整然と並列した状態を示している。
【００５２】
図７〜９の第１〜３部分変形実施形態でも、上記１組（１単位）（Ｕ）をなす有色画線（１２Ｃ）（１２Ｍ）（１２Ｙ）の任意な１本（１列）は、これよりも広大な線幅（太さ）（Ｗ２）のシリンドリカルレンズ（１４）によって表側から被覆されており、シリンドリカルレンズ（１４）同士の隣り合う間隔ピッチ（Ｐ３）が、そのレンズ（１４）自身の線幅（太さ）（Ｗ２）の３〜４倍（２〜３列おき）として、好ましくは図示のような３倍（２列おき）の寸法（先に例示した０．２４ｍｍ）に設定されている。しかも、そのシリンドリカルレンズ（１４）とこれにより被覆された任意な１本（１列）の有色画線（１２Ｃ）（１２Ｍ）（１２Ｙ）とが、同じ中心線（Ｏ−Ｏ）上に位置合わせされた状態にある点で、図１〜３の第１実施形態と共通する構成を備えている。
【００５３】
その場合、シリンドリカルレンズ（１４）同士の隣り合う間隔ピッチ（Ｐ３）が図１〜３の第１実施形態や、その図７〜９の第１〜３部分変形実施形態と同様に、そのレンズ（１４）自身の線幅（太さ）（Ｗ２）の３〜４倍（２〜３列おき）として、好ましくは３倍（２列おき）の寸法（先に例示した０．２４ｍｍ）に設定されることにより、既述したようなシリンドリカルレンズ（１４）の正規なレンズ作用と設計どおりの高精細な色彩変化を得られる限りでは、複数（例えば３本／３列）の有色画線（１２Ｃ）（１２Ｍ）（１２Ｙ）から成る１組（１単位）（Ｕ）の全体を、シリンドリカルレンズ（１４）によって被覆する形態を採用しても良い。
【００５４】
尚、図７〜９の第１〜３部分変形実施形態におけるその他の構成は、図１〜３の上記第１実施形態と実質的に同一であるため、その図７〜９に図１〜３との同一符号を記入するにとどめて、その詳細な説明を省略するが、上記各種実施形態の何れにあっても、その１組（１単位）（Ｕ）をなす有色画線（１２Ｃ）（１２Ｍ）（１２Ｙ）同士の隣り合う間隔ピッチ（Ｐ２）は、その線幅（太さ）（Ｗ１）よりも広大に寸法化されることがあり得る。
【００５５】
更に、図１０、１１は本発明に係る疑似ホログラム印刷物（Ａ）の第２実施形態を示しており、その構成上図１〜３の上記第１実施形態と異なる点は、次のとおりである。
【００５６】
つまり、図１〜３の第１実施形態では１組（１単位）（Ｕ）をなす有色画線（１２Ｃ）（１２Ｍ）（１２Ｙ）同士の隣り合う相互間と、その１組（１単位）（Ｕ）同士の隣り合う相互間とが、何れも無印刷の空白部（１３）として言わば放置されており、その空白部（１３）から印刷基材（１０）の表面が露呈しているに比し、図１０、１１の第２実施形態ではイエローの有色インク：９０％とマゼンタの有色インク:５％とが混合された混合色を、その第１実施形態の空白部（１３）に相当する個所へインクジェット印刷することにより、その印刷した個所を上記混合色から成る有色背景帯域（１５）として、可飾線画像層（万線パターン層）（Ｂ）の全体を豪華な黄金色に印象付けることができるようになっている。
【００５７】
このような第２実施形態の構成は図７〜９の第１〜３部分変形実施形態の疑似ホログラム印刷物（Ａ）についても、適用することができる。その場合、上記混合されたイエローとマゼンタとの２色は、あくまでも一例であるに過ぎず、混合比率が異なる少なくとも２色の混合色から形成された有色背景帯域（１５）であれば、何色を採用しても良い。
【００５８】
また、図１２、１３は本発明に係る疑似ホログラム印刷物（Ａ）の第３実施形態を示しており、これでは図１〜３の上記第１実施形態に次の構成を加えている。
【００５９】
即ち、図１２、１３の第３実施形態では上記有色画線（１２Ｃ）（１２Ｍ）（１２Ｙ）によって形成された可飾線画像層（万線パターン層）（Ｂ）の中へ、一旦無印刷の空白部（１６）を適当な大きさ・形状に区画形成すると共に、その空白部（１６）に露出した印刷基材（１０）の表面へ、上記反射層（１１）の反射を防ぐ（隠蔽する）白色下地層（１７）をインクジェット印刷する。
【００６０】
そして、その白色の有色インクにより印刷した下地層（１７）の表面へ、白色以外の適当な有色インクから成る文字や図形、その他の標章（１８）をインクジェット印刷しており、これにより上記可飾線画像層（Ｂ）を言わば背景として、これから標章（１８）が鮮明に極立ち表示されるようになっている。その標章（１８）と同じ大きさ・輪郭形状に予め区成された空白部（１６）へ、白色下地層（１７）と白色以外の有色インクによる標章（１８）とが順次インクジェット印刷されているわけである。
【００６１】
上記第３実施形態の場合、「ＫＩＡＮＵ」というアルファベット５文字の標章（１８）をブラックの有色インクにより印刷しているが、例えば図１のような可飾線画像層（Ｂ）の周囲に無印刷のサークル状空白部（１６）を区成して、その空白部（１６）に露出した印刷基材（１０）の表面へ、反射層（１１）の反射を防ぐ白色下地層（１７）をインクジェット印刷すると共に、その白色下地層（１７）の表面に白色以外の適当な有色インクから成る有色区画線（１９）をインクジェット印刷して、これにより可飾線画像層（Ｂ）を鮮明に縁取りしても良い。
【００６２】
このような標章（１８）や可飾線画像層（Ｂ）の縁取り用有色区画線（１９）を印刷する実施形態の構成も、図７〜９の第１〜３部分変形実施形態の疑似ホログラム印刷物（Ａ）に適用することができる。尚、図１０〜１３の第２、３実施形態におけるその他の構成は、図１〜３の上記第１実施形態と実質的に同一であるため、その図１０〜１３に図１〜３との同一符号を記入するにとどめて、その詳細な説明を割愛する。
【００６３】
上記第１〜３実施形態とその第１実施形態の第１〜３部分変形実施形態に係る疑似ホログラム印刷物（Ａ）は、何れも図１４に例示するようなインクジェットプリンター（Ｊ）を用いて作成される。
【００６４】
そのインクジェットプリンター（Ｊ）の概略構成を示す図１４の平面図において、（２０）は上記印刷基材（１０）を支持するプラテン又は回転ドラム、（２１）はその印刷基材（１０）を矢印方向（Ｆ）へ搬送する複数のローラー、（２２Ｗ）（２２Ｃ）（２２Ｍ）（２２Ｙ）（２２Ｂ）はその搬送方向（Ｆ）と直交する印刷基材（１０）の幅方向（Ｘ）に沿って配列設置された第１〜５インクジェットヘッドであり、これらに開口分布する多数のインク吐出ノズル（２３ｗ）（２３ｃ）（２３ｍ）（２３ｙ）（２３ｂ）からは、各々指定の有色インクが吐出される。
【００６５】
その場合、上流側から下流側へ順次並列する第１〜５インクジェットヘッド（２２Ｗ）〜（２２Ｂ）のうち、その第１インクジェットヘッド（２２Ｗ）のインク吐出ノズル（２３ｗ）からはホワイトインク、第２インクジェットヘッド（２２Ｃ）のインク吐出ノズル（２３ｃ）からはシアンインク、第３インクジェットヘッド（２２Ｍ）のインク吐出ノズル（２３ｍ）からはマゼンタインク、第４インクジェットヘッド（２２Ｙ）のインク吐出ノズル（２３ｙ）からはイエローインク、図例の予備となっている第５インクジェットヘッド（２２Ｂ）のインク吐出ノズル（２３ｂ）からはブラックインクが、各々吐出されるようになっている。
【００６６】
また、上記第５インクジェットヘッド（２２Ｂ）の下流側にはその有色インクを硬化するための紫外線照射装置（２４）が並列設置されている。（２２Ｖ）はその有色インク硬化用紫外線照射装置（２４）の下流側に並列設置された第６インクジェットヘッドであって、これに開口分布する多数のインク吐出ノズル（２３ｖ）からは、透明ニス（透明インク）が吐出されるようになっている。（２５）はその透明ニスを硬化するための紫外線照射装置であり、上記第６インクジェットヘッド（２２Ｖ）の下流側に並列設置されている。
【００６７】
上記インクジェットプリンター（Ｊ）を用いて、図１〜３の第１実施形態に係る疑似ホログラム印刷物（Ａ）を作成する方法について言えば、その印刷物（Ａ）の可飾線画像層（Ｂ）やシリンドリカルレンズ（１４）を含む構成が設計データとして、インクジェットプリンター（Ｊ）の制御部（コントローラー）（図示省略）に記憶されている。
【００６８】
その制御部には印刷基材（１０）の搬送ローラー（２１）や第１〜６インクジェットヘッド（２２Ｗ）〜（２２Ｖ）、有色インク硬化用並びに透明ニス硬化用の紫外線照射装置（２４）（２５）などが電気的に接続されており、その制御部によって上記搬送ローラー（２１）の回転や第１〜６インクジェットヘッド（２２Ｗ）〜（２２Ｖ）の移動、その吐出ノズル（２３ｗ）〜（２３ｖ）からの有色インクの吐出量並びに透明ニスの吐出量や吐出タイミング、上記紫外線照射装置（２４）（２５）からの紫外線照射量や照射タイミングなどの駆動制御が行われるようになっている。
【００６９】
上記色彩が異なる有色インクにより、可飾線画像層（Ｂ）を形成する有色画線（１２Ｃ）（１２Ｍ）（１２Ｙ）の印刷と、透明ニスによるシリンドリカルレンズ（１４）の印刷とは別個に行われ、その印刷時には印刷基材（１０）が搬送方向（Ｆ）への移動を繰り返し、そのたび毎に第１〜６インクジェットヘッド（２２Ｗ）〜（２２Ｖ）が順次に各々幅方向（Ｘ）へ移動されることになる。
【００７０】
そして、上記可飾線画像層（Ｂ）における万線としての有色画線（１２Ｃ）（１２Ｍ）（１２Ｙ）を順次印刷すべく、その第２〜４インクジェットヘッド（２２Ｃ）（２２Ｍ）（２２Ｙ）のインク吐出ノズル（２３ｃ）（２３ｍ）（２３ｙ）から吐出された有色インクの液滴（ドット）は、印刷基材（１０）の表面へ各々着弾するや否や、その後有色インク用紫外線照射装置（２４）によって硬化されるまでの間に濡れ広がり、１本（１列）の有色画線（１２Ｃ）（１２Ｍ）（１２Ｙ）となって、その硬化するまでの作用を繰り返すことにより、全体として設計どおりの可飾線画像層（Ｂ）が形成される。
【００７１】
この点、上記第１実施形態ではシアンの画線（１２Ｃ）とマゼンタの画線（１２Ｍ）とイエローの画線（１２Ｙ）との合計３本（３列）からなる１組（１単位）（Ｕ）ずつが、その１組（１単位）（Ｕ）同士の隣り合う所定間隔（Ｐ１）を保って繰り返し並列設置されており、その各有色画線（１２Ｃ）（１２Ｍ）（１２Ｙ）の線幅（太さ）（Ｗ１）は上記０．０４ｍｍとして細いため、その有色画線（１２Ｃ）（１２Ｍ）（１２Ｙ）同士の隣り合う間隔ピッチ（Ｐ２）が線幅（太さ）（Ｗ１）と同じ寸法であることとも相俟って、その先行する有色インクの液滴（ドット）が着弾してから硬化する前に、後行する有色インクのそれが着弾するおそれはない。
【００７２】
また、上記１組（１単位）（Ｕ）をなす有色画線（１２Ｃ）（１２Ｍ）（１２Ｙ）のうち、その任意な１本（１列）であるマゼンタの画線（１２Ｍ）を表側から被覆するためのシリンドリカルレンズ（１４）を印刷すべく、その第６インクジェットヘッド（２２Ｖ）のインク吐出ノズル（２３ｖ）から吐出された透明ニスの液滴（ドット）は、上記マゼンタの画線（１２Ｍ）上へ位置合わせされた同芯状態に着弾し、その透明ニス用紫外線照射装置（２５）によって硬化されるまでの間に濡れ広がり、やはり１本（１列）のカマボコ状シリンドリカルレンズ（１４）となる。
【００７３】
その場合、第１実施形態ではシリンドリカルレンズ（１４）の線幅（太さ）（Ｗ２）が上記０．０８ｍｍとして、これにより被覆される上記有色画線（１２Ｍ）の線幅（太さ）（Ｗ１）（０．０４ｍｍ）の２倍であり、しかもそのシリンドリカルレンズ（１４）同士の隣り合う間隔ピッチ（Ｐ３）がレンズ（１４）自身の線幅（太さ）（Ｗ２）の３倍（２列おき）として、上記０．２４ｍｍの寸法に設定されている。
【００７４】
今、上記有色画線（１２Ｍ）を印刷する有色インクの液滴（ドット）とシリンドリカルレンズ（１４）を印刷する透明ニスの液滴（ドット）が、何れもその上記０．０４ｍｍと０．０８ｍｍの線幅（太さ）（Ｗ１）（Ｗ２）を直径とする半球形であるとみなして試算すると、その透明ニスの液滴（ドット）の体積は有色インクの液滴（ドット）のそれの約８倍に相当する程大きいため、その大きさに相応する分だけシリンドリカルレンズ（１４）同士の隣り合う間隔ピッチ（Ｐ３）を、そのレンズ（１４）自身の線幅（太さ）（Ｗ２）の少なくとも３倍（２列おき）として広大に確保しており、その結果隣り合うシリンドリカルレンズ（１４）同士の不慮に連結して、その頂面（凸曲面）が低く沈下して平面化したり、形崩れしたりするおそれはなく、上記可飾線画像層（Ｂ）と相俟って、高精細に色彩変化する疑似ホログラム印刷物（Ａ）を得られるのである。
【００７５】
尚、図１０、１１の第２実施形態に説示した有色背景帯域（１５）の混合色は、インクジェットプリンター（Ｊ）における上記第１インクジェットヘッド（２２Ｗ）のインク吐出ノズル（２３ｗ）から、そのホワイトインクに代わる有色インクとして吐出される。図１２、１３の第３実施形態に説示した白色下地層（１７）のホワイトインクは、同じくプリンター（Ｊ）における第１インクジェットヘッド（２２Ｗ）のインク吐出ノズル（２３ｗ）から吐出すれば良く、上記標章（１８）や可飾線画像層（Ｂ）を縁取る有色区画線（１９）のブラックインクは、インクジェットプリンター（Ｊ）における上記第５インクジェットヘッド（２２Ｂ）のインク吐出ノズル（２３ｂ）から吐出すれば良い。
【符号の説明】
【００７６】
（１０）・・・・・印刷基材
（１１）・・・・・反射層
（１２Ｃ）（１２Ｍ）（１２Ｙ）・・・有色画線
（１３）（１６）・・・空白部
（１４）・・・・・シリンドリカルレンズ
（１５）・・・・・有色背景帯域
（１７）・・・・・白色下地層
（１８）・・・・・標章
（１９）・・・・・有色区画線
（Ａ）・・・・・・疑似ホログラム印刷物
（Ｂ）・・・・・・可飾線画像層
（Ｊ）・・・・・・インクジェットプリンター
（Ｏ−Ｏ）・・・・位置合わせ状態の中心線
（Ｐ１）（Ｐ２）（Ｐ３）・・・間隔ピッチ
（Ｕ）・・・・・・１組（１単位）
（Ｗ１）（Ｗ２）・・・線幅（太さ）
【要約】
【課題】画像の色彩が複雑・多様に変化するセキュリティー性能の高い疑似ホログラム印      刷物を提供する。
【解決手段】
表面に光反射層（１１）を有する印刷基材（１０）と、色彩が異なる複数の有色画線（１２Ｃ）（１２Ｍ）（１２Ｙ）から成る１組（Ｕ）ずつを規則正しく離隔的に繰り返し並列する万線として、印刷基材の表面へインクジェット印刷した可飾線画像層（Ｂ）と、上記有色画線から成る１組ずつのうちの少なくとも任意な１本ずつを表側から被覆すべく、その有色画線よりも太い万線として、カマボコ状にインクジェット印刷された透明なシリンドリカルレンズ（１４）とを備え、上記レンズをその線幅（Ｗ２）の少なくとも３倍の間隔ピッチ（Ｐ３）に配列設置した。
【選択図】図２【図１】
0006892709.tif 000002
【図２】
0006892709.tif 000003
【図３】
0006892709.tif 000004
【図４】
0006892709.tif 000005
【図５】
0006892709.tif 000006
【図６】
0006892709.tif 000007
【図７】
0006892709.tif 000008
【図８】
0006892709.tif 000009
【図９】
0006892709.tif 000010
【図１０】
0006892709.tif 000011
【図１１】
0006892709.tif 000012
【図１２】
0006892709.tif 000013
【図１３】
0006892709.tif 000014
【図１４】
0006892709.tif 000015